(57)【要約】【課題】  洗浄液の液圧によって開口凹部から脱落することがなく、しかも、開口凹部の内周面との間にも洗浄液が十分に行き渡るようにした内視鏡洗浄用アダプタを提供する。【解決手段】  内視鏡の操作部に形成された開口凹部に装着され、該開口凹部及び該開口凹部に連通する内部管路を洗浄液で洗浄する際に用いる洗浄用アダプタにおいて、上記開口凹部の外側において該開口凹部の開口端を塞ぐ蓋部と、該蓋部に、上記開口凹部の内径より小径として突設された、該開口凹部に挿入される遊嵌部と、該遊嵌部の外周面に突設された、上記開口凹部の内周面に弾性接触することにより該遊嵌部を該開口凹部から抜け止める、上記遊嵌部の軸心を中心とする螺旋形状の抜止部と、を備え、この螺旋形状の抜止部は、該遊嵌部の外周面と上記開口凹部の内周面との間に、上記遊端部の奥側から上記蓋部内面に至る流路を形成することを特徴とする内視鏡洗浄用アダプタ。【選択図】  図５
2005237543.tif 000002
【特許請求の範囲】
【請求項１】
内視鏡の操作部に形成された開口凹部に装着され、該開口凹部及び該開口凹部に連通する内部管路を洗浄液で洗浄する際に用いる洗浄用アダプタにおいて、
上記開口凹部の外側において該開口凹部の開口端を塞ぐ蓋部と、
該蓋部に、上記開口凹部の内径より小径として突設された、該開口凹部に挿入される遊嵌部と、
該遊嵌部の外周面に突設された、上記開口凹部の内周面に弾性接触することにより該遊嵌部を該開口凹部から抜け止める、上記遊嵌部の軸心を中心とする螺旋形状の抜止部と、を備え、
この螺旋形状の抜止部は、該遊嵌部の外周面と上記開口凹部の内周面との間に、上記遊端部の奥側から上記蓋部内面に至る流路を形成することを特徴とする内視鏡洗浄用アダプタ。
【請求項２】
内視鏡の操作部に形成された開口凹部に装着され、該開口凹部及び該開口凹部に連通する内部管路を洗浄液で洗浄する際に用いる洗浄用アダプタにおいて、
上記開口凹部の外側において該開口凹部の開口端を塞ぐ蓋部と、
該蓋部に、上記開口凹部の内径より小径として突設された、該開口凹部に挿入される遊嵌部と、
該遊嵌部の外周面に突設された、上記開口凹部の内周面に弾性接触することにより該遊嵌部を該開口凹部から抜け止める不連続な抜止部と、を備え、
これら不連続な抜止部は、該遊嵌部の外周面と上記開口凹部の内周面との間に、上記遊端部の奥側から上記蓋部内面に至る流路を形成する態様で配置形成されていることを特徴とする内視鏡洗浄用アダプタ。
【請求項３】
請求項２記載の内視鏡洗浄用アダプタにおいて、
上記抜止部が、略径方向外向きで互いに離間した複数の円錐状突起である内視鏡洗浄用アダプタ。
【請求項４】
請求項２記載の内視鏡洗浄用アダプタにおいて、
上記抜止部が、略径方向外向きで互いに離間した、複数の板状突起である内視鏡洗浄用アダプタ。
【請求項５】
請求項１から４のいずれか１項記載の内視鏡洗浄用アダプタにおいて、
上記内視鏡外部から上記開口凹部に上記洗浄液を注入可能とする注入孔を、上記蓋部及び遊嵌部に貫通孔として設けた内視鏡洗浄用アダプタ。
【請求項６】
請求項１から５のいずれか１項記載の内視鏡洗浄用アダプタにおいて、
上記開口凹部が、非洗浄時には操作ボタンが取付けられるシリンダである内視鏡洗浄用アダプタ。
【発明の詳細な説明】
【技術分野】
【０００１】
本発明は、内視鏡の操作部に設けられた開口凹部と、これに連通する内部管路とを洗浄する際に、この開口凹部に装着される内視鏡洗浄用アダプタに関する。
【背景技術】
【０００２】
内視鏡は、柔軟な挿入部と、術者が把持する操作部と、光源装置に着脱されるコネクタ部とを具備しており、その内部には、入口側開口がコネクタ部に設けられ、出口側開口が挿入部の先端に設けられた送気送水管路が形成されている。さらに、操作部には送気送水管路と連通し、一端が操作部外面において開口するシリンダが設けられており、このシリンダには送気送水ボタンが装着されている。
ところで、送気送水ボタンを押して、送気送水管路に水や空気を流入させると、送気送水管路の表面が汚れてしまうので、使用後にはこれらを洗浄する必要がある（例えば、特許文献１）。
【０００３】
送気送水管路の洗浄方法の一例として、内視鏡の使用後に送気送水ボタンをシリンダから抜き取ってシリンダを開口させ、シリンダの開口部に弾性体からなる洗浄用アダプタの嵌合部を圧入し、この状態で送気送水管路に洗浄水を注入する方法がある。このようにすると、洗浄用アダプタの嵌合部の外周面全体とシリンダの内周面が水密状態で接触し、シリンダの開口部が完全に塞がれるので、シリンダ開口から洗浄液が漏れ出すことなく送気送水管路及びシリンダ内面を洗浄できる。
【０００４】
【特許文献１】特許第３２０６６２０号公報
【発明の開示】
【発明が解決しようとする課題】
【０００５】
しかし、洗浄用アダプタの嵌合部の外周面がシリンダ内周面に水密状態で接触するので、両者の接触部分には洗浄液が行き渡らず、この接触部分が洗浄されない。
このため、嵌合部を短くして、嵌合部とシリンダ内周面の接触面積を小さくして、より広い範囲に洗浄液が行き渡るようにすることが行われている。しかし、嵌合部をあまり短くしすぎると、嵌合部がシリンダから抜け易くなり、洗浄液の液圧により洗浄用アダプタがシリンダから脱落するおそれがあるので、嵌合部の短寸化には限界がある。
このような問題は、内視鏡内部に設けられた送気送水管路以外の内部管路を洗浄する場合にも同様に生じる。
【０００６】
本発明の目的は、洗浄液の液圧によって開口凹部から脱落することがなく、しかも、開口凹部の内周面との間にも洗浄液が十分に行き渡るようにした内視鏡洗浄用アダプタを提供することにある。
【課題を解決するための手段】
【０００７】
本発明の内視鏡洗浄用アダプタは、内視鏡の操作部に形成された開口凹部に装着され、該開口凹部及び該開口凹部に連通する内部管路を洗浄液で洗浄する際に用いる洗浄用アダプタにおいて、上記開口凹部の外側において該開口凹部の開口端を塞ぐ蓋部と、該蓋部に、上記開口凹部の内径より小径として突設された、該開口凹部に挿入される遊嵌部と、該遊嵌部の外周面に突設された、上記開口凹部の内周面に弾性接触することにより該遊嵌部を該開口凹部から抜け止める、上記遊嵌部の軸心を中心とする螺旋形状の抜止部と、を備え、この螺旋形状の抜止部は、該遊嵌部の外周面と上記開口凹部の内周面との間に、上記遊端部の奥側から上記蓋部内面に至る流路を形成することを特徴としている。
【０００８】
別の態様によれば、内視鏡洗浄用アダプタは、内視鏡の操作部に形成された開口凹部に装着され、該開口凹部及び該開口凹部に連通する内部管路を洗浄液で洗浄する際に用いる洗浄用アダプタにおいて、上記開口凹部の外側において該開口凹部の開口端を塞ぐ蓋部と、該蓋部に、上記開口凹部の内径より小径として突設された、該開口凹部に挿入される遊嵌部と、該遊嵌部の外周面に突設された、上記開口凹部の内周面に弾性接触することにより該遊嵌部を該開口凹部から抜け止める不連続な抜止部と、を備え、これら不連続な抜止部は、該遊嵌部の外周面と上記開口凹部の内周面との間に、上記遊端部の奥側から上記蓋部内面に至る流路を形成する態様で配置形成されていることを特徴としている。
【０００９】
この態様の抜止部の第１例としては、略径方向外向きで互いに離間した複数の円錐状突起がある。
【００１０】
この態様の抜止部の第２例としては、略径方向外向きで互いに離間した複数の板状突起がある。
【００１１】
いずれの態様でも、非洗浄時には操作ボタンが装着されるシリンダに洗浄用アダプタを装着して実施するのが実際的である。
【発明の効果】
【００１２】
本発明によると、抜止部と開口凹部の間には、遊嵌部の奥部側にある洗浄液が蓋部内面まで流入可能な流路が形成されるので、洗浄用アダプタ（遊嵌部）と開口凹部の間にも洗浄液が十分に行き渡り、この部分も確実に洗浄される。さらに、抜止部が開口凹部の内周面に確実に弾性接触するので、洗浄液の液圧によって洗浄用アダプタが開口凹部から脱落することはない。
【発明を実施するための最良の形態】
【００１３】
以下、本発明の一実施形態について、図１〜図６を参照しながら説明する。
まず、図１に基づいて、本発明の対象とする内視鏡１０の構成例を説明する。
図１に示す内視鏡１０は医療用の電子内視鏡であり、体腔内に挿入される柔軟な挿入部１１とその基部側に接続された操作部１２を有している。挿入部１１は、先端側から順に先端部１３、湾曲部１４及び可撓管部１５を有しており、さらに可撓管部１５が連結部１６を介して操作部１２に接続している。周知のように、操作部１２に設けられた湾曲操作ノブ（図示略）を回動操作すると、挿入部１１の湾曲部１４が湾曲される。操作部１２からはユニバーサルチューブ１７が延設されており、該ユニバーサルチューブ１７の末端に設けたコネクタ部１８は、内視鏡本体とは別体で、かつ光源を具備するプロセッサ（図示略）に着脱可能となっている。
【００１４】
先端部１３は硬性部材により構成されており、該先端部１３には、図示を省略した対物レンズ、配光レンズ（照明窓）が設けられている。
また、先端部１３の配光レンズには、ユニバーサルチューブ１７のコネクタ部１８から挿入部１１の先端部１３まで配設されたライトガイドファイババンドル（図示略）を介して、プロセッサに設けた光源からの照明光が与えられる。
対物レンズで結像された観察像は、先端部１３内に配設されたＣＣＤ（図示略）からコネクタ部１８まで配設された画像信号伝送用ケーブル（図示略）を介して、電子画像信号としてプロセッサの画像処理装置に送られる。プロセッサでは、電子画像をモニタに表示したり画像記録媒体に記録することができる。操作部１２には、画像処理関連の遠隔操作を行うための複数のリモート操作ボタンスイッチ（図示略）が設けられている。
【００１５】
挿入部１１の内部には、吸引兼鉗子挿通管路（内部管路）１９が設けられている。吸引兼鉗子挿通管路１９の出口側開口１９ａは先端部１３の端面に設けられており、吸引兼鉗子挿通管路１９の基端側は、鉗子チャンネル（内部管路）２０と吸引専用管路（内部管路）２１とに枝分かれしている。鉗子チャンネル２０の入口側開口は、連結部１６に設けられた鉗子口２２に接続しており、この鉗子口２２には、スリット２３ａが設けられたキャップ２３が着脱自在に装着されている。このスリット２３ａから鉗子チャンネル２０に鉗子等の処置具（図示略）を挿入し、処置具を吸引兼鉗子挿通管路１９の出口側開口１９ａから突出可能である。一方、吸引専用管路２１は、操作部１２、ユニバーサルチューブ１７、及びコネクタ部１８を貫通し、その入口側開口はコネクタ部１８に設けられた吸引口金２４に接続し、吸引口金２４には、一端が負圧源（図示略）に接続された吸引チューブＴ１の他端が着脱自在に接続されている。
【００１６】
吸引専用管路２１の中間部は、操作部１２に設けられた吸引用シリンダ（シリンダ）（開口凹部）２５と連通している。吸引用シリンダ２５は、底部が閉塞し底部と反対側が開口する筒状部材であり、その内部には、吸引ボタン（操作ボタン）２６が相対移動自在に嵌合しており、吸引ボタン２６に設けられたピストン（図示略）が吸引用シリンダ２５の内面に摺接している。
吸引ボタン２６を押圧しない状態では、鉗子口２２から処置具を挿入させ、鉗子チャンネル２０を通して吸引兼鉗子挿通管路１９の出口側開口１９ａから突出させることができる。
一方、吸引兼鉗子挿通管路１９を吸引用の管路として使用するときには、吸引ボタン２６を押圧する。すると、負圧源の負圧が吸引チューブＴ１と吸引専用管路２１を介して吸引兼鉗子挿通管路１９まで及ぶようになり、先端部１３における吸引兼鉗子挿通管路１９の出口側開口１９ａから、体液等を吸引できる。
【００１７】
さらに、挿入部１１、操作部１２、ユニバーサルチューブ１７、及びコネクタ部１８の内部には、これらを貫通する送気管路（内部管路）２７と送水管路（内部管路）２８が形成されており、送気管路２７と送水管路２８の出口側開口２７ａ、２８ａは先端部１３の端面に設けられている。送気管路２７の入口側開口２７ｂは、コネクタ部１８に設けられた送気送水口金２９に接続しており、さらに、送水管路２８の入口側開口２８ｂは送気送水口金２９内に位置している。さらに、送水管路２８と送気管路２７の中間部は、操作部１２に設けられた送気送水用シリンダ（シリンダ）（開口凹部）３０と連通している。送気送水用シリンダ３０は、底部が閉塞し底部と反対側が開口する筒状部材であり、その内部には、上面が開口する送気送水ボタン（操作ボタン）３１が相対移動自在に嵌合しており、送気送水ボタン３１に設けられたピストン（図示略）が送気送水シリンダ３０の内面に摺接している。
【００１８】
送水管路２８の入口側開口２８ｂに、一端が送水ボトル（図示略）内に位置する送水チューブＴ２の他端を接続すると、送水チューブＴ２と送水管路２８が連通する。そして、送水ボトル内の空気溜まりには送気チューブＴ３の一端が位置しており、送気チューブＴ３の他端は送気管路２７の入口側開口２７ｂに接続している。さらに、送水ボトルの空気溜まりには圧縮空気源（図示略）から常時圧縮空気が送られており、この圧縮空気は常時、送気チューブＴ３、送気管路２７、及び送気送水用シリンダ３０を介して、送気送水ボタン３１の上面開口から外部に漏れている。
そして、術者が指で送気送水ボタン３１の上面開口を塞ぐと、送気管路２７の出口側端部２７ａから外部に圧縮空気が噴射され、さらに、送気送水ボタン３１の上面開口を塞いだ状態で送気送水ボタン３１を押圧すると、送水ボトル内の水に圧縮空気の圧力が掛かり、送水チューブＴ２内に水が流れ、送水管路２８の出口側開口２８ａから外部に水が噴射される。
【００１９】
図３及び図４に示す洗浄用アダプタ４０は、送気送水用シリンダ３０に装着するためのものであり、操作部１２の外側から送気送水用シリンダ３０の開口縁３０ａ及び操作部１２表面に水密状態で接触して、送気送水用シリンダ３０の開口端を塞ぐ蓋部４１と、この蓋部４１の内面中央に突設された、送気送水用シリンダ３０の内径より小径円柱状の遊嵌部４２と、この遊嵌部４２の外周面に径方向外向きに突設された、遊嵌部４２の軸心を中心とする螺旋形状の抜止部４３とを具備しており、遊嵌部４２の外周面の抜止部４３が設けられていない部分は流路形成面４２ａとなっている。抜止部４３は、送気送水用シリンダ３０に挿入してない場合に、その外径が送気送水用シリンダ３０の内径より５％〜２０％程度大径となるように設計されている。さらに、蓋部４１、遊嵌部４２、及び抜止部４３は全てシリコンゴム、フッ素ゴム、ポリウレタン等の弾性材料によって一体成形されている。
吸引用シリンダ２５に装着するための洗浄用アダプタ５０の詳細な図示は省略してあるが、その基本構造は洗浄用アダプタ４０と同じである。但し、送気送水用シリンダ３０より大径の吸引用シリンダ２５に対応させて、その蓋部、遊嵌部、抜止部の各部が洗浄用アダプタ４０に比べて大きめに設計されている。
【００２０】
次に、内視鏡１０の使用後に、内視鏡１０の吸引用シリンダ２５及び送気送水用シリンダ３０に洗浄用アダプタ４０、５０を装着して、内視鏡１０の送気管路２７、送水管路２８、鉗子チャンネル２０、吸引専用管路２１、及び吸引兼鉗子挿通管路１９を洗浄する要領について説明する。
【００２１】
洗浄を行うには、まず図２に示すように、コネクタ部１８とプロセッサの接続を解除し、鉗子口２２からキャップ２３を取り外すとともに、吸引チューブＴ１、送水チューブＴ２、及び送気チューブＴ３を内視鏡１０から取り外し、さらに、送気送水ボタン３１と吸引ボタン２６を、送気送水用シリンダ３０と吸引用シリンダ２５からそれぞれ抜き取る。
次いで、図２、図５、及び図６に示すように、送気送水シリンダ３０に洗浄用アダプタ４０の遊嵌部４２を挿入し、螺旋形状の抜止部４３を送気送水シリンダ３０の内周面に接触させて弾性変形させ、遊嵌部４２の流路形成面４２ａと送気送水シリンダ３０の内周面の間に螺旋状部分を含む流路Ｒを形成する。
同様に、図２に示すように、吸引用シリンダ２５に洗浄用アダプタ５０を装着して、その抜止部を弾性変形させながら吸引用シリンダ２５の内周面に接触させ、遊嵌部の流路形成面と吸引用シリンダ２５の内周面の間に螺旋状の流路Ｒを形成する。
【００２２】
次いで、吸引兼鉗子挿通管路１９の出口側開口１９ａ、送気管路２７の出口側開口２７ａ、及び送水管路２８の出口側開口２８ａから、それぞれの管路１９、２７、２８内に洗浄液（図示略）を注入する。すると、洗浄液は吸引専用管路１９、吸引専用管路２１、送気管路２７、送水管路２８を通って吸引用シリンダ２５及び送気送水用シリンダ３０に流れ込み、さらに、ユニバーサルチューブ１７内の吸引専用管路２１、送気管路２７、送水管路２８を通って吸引口金２４、入口側開口２７ｂ、入口側開口２８ｂから外部に排出される。一方、鉗子チャンネル２０に流れた洗浄液は、鉗子口２２から外部に排出される。
【００２３】
そして、蓋部４１によってその端部開口が塞がれた送気送水シリンダ３０に流れ込んだ洗浄液は、送気送水シリンダ３０内面の遊嵌部４２より奥部側を洗浄するとともに、流路Ｒの入口開口Ｒ１から流路Ｒに流れ込んで蓋部４１まで行き渡るので、送気送水シリンダ３０内周面の遊嵌部４２と対向する部分も洗浄する。さらに、洗浄液の流体圧が抜止部４３に加わると、抜止部４３が弾性変形して、抜止部４３と送気送水シリンダ３０の内周面の間に隙間Ｇが形成されるので（図６参照）、この隙間Ｇからも洗浄液が流路Ｒに流れ込む。
同様に、吸引用シリンダ２５に流れ込んだ洗浄液は、吸引用シリンダ２５内周面の遊嵌部より奥部側を洗浄するだけでなく、流路Ｒの入口開口Ｒ１及び隙間Ｇから流路Ｒに流れ込み（蓋部６１まで到達し）、吸引用シリンダ２５内周面の遊嵌部と対向する部分を洗浄する。
洗浄が完了したら、吸引用シリンダ２５と送気送水シリンダ３０から洗浄用アダプタ４０、５０をそれぞれ取り外す。
【００２４】
このような本実施形態によれば、従来は洗浄液が行き渡らなかった各シリンダ２５、３０の内周面の洗浄用アダプタ４０、５０の遊嵌部４２と対向する部分を洗浄液で洗浄できるので、従来に比べてより確実な洗浄が可能となる。
しかも、洗浄用アダプタ４０、５０の抜止部４２が、吸引用シリンダ２５と送気送水シリンダ３０の内周面に強い圧力で弾性接触するので、洗浄液の液圧によって洗浄用アダプタ４０、５０が各シリンダ２５、３０から抜け落ちるおそれもない。
【００２５】
図７及び図８は洗浄用アダプタ４０の変形例を示している。
この洗浄用アダプタ４０’の蓋部４１及び遊嵌部４２には、これらをその軸線方向に貫通する注入孔４４が穿設されており、蓋部４１の上面には、その内部に注入孔４４と連通する注入孔４５が形成された接続用筒部４６が一体成形により設けられている。
【００２６】
この洗浄用アダプタ４０’を送気送水シリンダ３０に装着し、接続用筒部４６に洗浄液注入用チューブＴ４を接続すれば、この洗浄液注入チューブＴ４から送気送水シリンダ３０内に洗浄液を注入して、送気送水シリンダ３０、送気管路２７、及び送水管路２８の各内面を洗浄できる。この場合も、流路Ｒの入口開口Ｒ１及び送気送水シリンダ３０の内周面と抜止部４３の隙間Ｇから螺旋状の流路Ｒに洗浄液が流れ込むので、送気送水シリンダ３０内周面の遊嵌部４２と対向する部分が洗浄される。
同様に、洗浄用アダプタ５０をこの洗浄用アダプタ４０’と同様の構成として吸引用シリンダ２５に装着し、その接続用筒部に装着した洗浄液注入用チューブＴ４から吸引用シリンダ２５内に洗浄液を注入すれば、吸引用シリンダ２５、吸引専用管路２１、鉗子チャンネル２０、吸引兼鉗子挿通管路１９の各内面を洗浄できる。
なお、注入孔４４、４５に管路洗浄用ブラシ（図示略）を挿入し、この管路洗浄用ブラシによって各管路１９、２０、２１、２７、２８内面を洗浄してもよい。
【００２７】
図９は、洗浄用アダプタの別の変形例を示している。
この洗浄用アダプタ６０は送気送水シリンダ３０用であり、洗浄用アダプタ４０と同様の蓋部６１と遊嵌部６２を具備しており、遊嵌部６２の外周面には、略径方向外向きの小寸円錐状の抜止部６３が、多数突設されている。隣り合う抜止部６３同士の間には隙間が形成されており、かつ、遊嵌部６２の軸心から各抜止部６３の先端までの径方向距離は、送気送水シリンダ３０の内周面の半径より５％〜２０％程度長く設定されている。この洗浄用アダプタ６０もシリコンゴム、フッ素ゴム、ポリウレタン等の弾性体により一体成形されている。遊嵌部６２の外周面の抜止部６３が設けられていない部分は流路形成面６２ａとなっている。
【００２８】
このような洗浄用アダプタ６０を送気送水シリンダ３０に挿入すると、各抜止部６３が弾性変形しながら送気送水シリンダ３０の内周面に接触し、この弾性力により洗浄用アダプタ６０は送気送水シリンダ３０から抜け止めされる。
そして、出口側開口２７ａ、２８ａから、送気管路２７及び送水管路２８内に洗浄液（図示略）を注入すると、洗浄液は送気送水シリンダ３０、送気管路２７、送水管路２８に流れ込み、これらの内面を洗浄する。さらに、送気送水シリンダ３０に流れ込んだ洗浄液は、送気送水シリンダ３０内面の遊嵌部６２より奥部側を洗浄するとともに、流路形成面６２ａと送気送水シリンダ３０内周面の間に形成された隙間（流路）Ｒを通って蓋部６１まで流れ込み、送気送水シリンダ３０内周面の遊嵌部６２と対向する部分を洗浄する。そして、洗浄液の液圧が洗浄用アダプタ６０に及んでも、各抜止部６３と送気送水シリンダ３０の接触力によって、洗浄用アダプタ６０の送気送水シリンダ３０からの脱落が防止される。
【００２９】
同様に、吸引用シリンダ２５用の洗浄用アダプタを図９のような形状にして、この洗浄用アダプタ（図示略）を吸引用シリンダ２５に装着して、吸引用シリンダ２５、吸引兼鉗子挿通管路１９、吸引専用管路２１、鉗子チャンネル２０の各内面を洗浄してもよい。
さらに、この洗浄用アダプタ６０に、図７及び図８に示したのと同様の接続用筒部と注入孔を設け、この接続用筒部に洗浄液注入用チューブＴ４を接続し、吸引用シリンダ２５及び送気送水シリンダ３０内に洗浄液を注入して、内視鏡１０の内部を洗浄することも可能である。
【００３０】
図１０は、洗浄用アダプタのさらに別の変形例を示している。
この洗浄用アダプタ７０は送気送水シリンダ３０用のものであり、洗浄用アダプタ４０と同様の蓋部７１と遊嵌部７２を具備しており、遊嵌部７２の外周面には、略径方向外向きの板状の抜止部７３が、多数突設されている。隣り合う抜止部７３同士の間には隙間が形成されており、かつ、遊嵌部７２の軸心から各抜止部７３の先端までの径方向距離は、送気送水シリンダ３０の内周面の半径より５％〜２０％程度長く設定されている。この洗浄用アダプタ７０もシリコンゴム、フッ素ゴム、ポリウレタン等の弾性体により一体成形されている。遊嵌部７２の外周面の抜止部７３が設けられていない部分は流路形成面７２ａとなっている。
【００３１】
このような洗浄用アダプタ７０を送気送水シリンダ３０に挿入すると、各抜止部７３が弾性変形しながら送気送水シリンダ３０の内周面に接触し、この弾性力により洗浄用アダプタ７０は送気送水シリンダ３０から抜け止めされる。
そして、出口側開口２７ａ、２８ａから、送気管路２７及び送水管路２８内に洗浄液（図示略）を注入すると、洗浄液は送気送水シリンダ３０、送気管路２７、送水管路２８に流れ込み、これらの内面を洗浄する。さらに、送気送水シリンダ３０に流れ込んだ洗浄液は、送気送水シリンダ３０内面の遊嵌部７２より奥部側を洗浄するとともに、流路形成面７２ａと送気送水シリンダ３０の内周面の間に形成された隙間（流路）Ｒを通って蓋部７１まで流れ込み、送気送水シリンダ３０内周面の遊嵌部７２と対向する部分を洗浄する。そして、この洗浄用アダプタ７０も、洗浄液の液圧が及んでも、各抜止部７３と送気送水シリンダ３０の接触力によって、送気送水シリンダ３０からの脱落が防止される
【００３２】
同様に、吸引用シリンダ２５用の洗浄用アダプタを図１０のような形状にして、この洗浄用アダプタ（図示略）を吸引用シリンダ２５に装着して、吸引用シリンダ２５、吸引兼鉗子挿通管路１９、吸引専用管路２１、鉗子チャンネル２０の各内面を洗浄してもよい。
さらに、この洗浄用アダプタ７０に、図７及び図８に示したのと同様の接続用筒部と注入孔を設け、この接続用筒部に洗浄液注入用チューブＴ４を接続し、吸引用シリンダ２５及び送気送水シリンダ３０内に洗浄液を注入して、内視鏡１０の内部を洗浄することも可能である。
【００３３】
以上説明した各洗浄用アダプタ４０、４０’、５０、６０、７０の抜止部４３、６３、７３の形状は一例であり、遊嵌部４２、６２、７２が吸引用シリンダ２５及び送気送水シリンダ３０に挿入された際に、吸引用シリンダ２５及び送気送水シリンダ３０の内周面に弾性接触して遊嵌部４２、６２、７２を抜け止めし、遊嵌部４２、６２、７２の外周面と吸引用シリンダ２５及び送気送水シリンダ３０の内周面の間に、洗浄液が蓋部４１、５１、６１、７１まで流入可能な隙間（流路）Ｒを形成するものであれば他の形状であってもよい。
上記抜止部をいずれの形状とする場合でも、その抜け止め力が大きい方が好ましく、さらに、吸引用シリンダ２５及び送気送水シリンダ３０の内周面のより広い範囲を洗浄可能とするべく、より広い範囲の隙間（流路）Ｒを形成可能なものが好ましいのは言うまでもない。
【図面の簡単な説明】
【００３４】
【図１】本発明の内視鏡の一実施形態の断面図である。
【図２】内視鏡の内部を洗浄するときの断面図である。
【図３】洗浄用アダプタの側面図である。
【図４】洗浄用アダプタの底面図である。
【図５】洗浄用アダプタを送気送水シリンダに装着した様子を示す縦断側面図である。
【図６】送気管路及び送水管路を省略して示す、図５のVI−VI矢線に沿う断面図である。
【図７】洗浄用アダプタの変形例の側面図である。
【図８】洗浄用アダプタの変形例の底面図である。
【図９】洗浄用アダプタの別の変形例の側面図である。
【図１０】洗浄用アダプタのさらに別の変形例の側面図である。
【符号の説明】
【００３５】
１０    電子内視鏡（内視鏡）
１１    挿入部
１２    操作部
１３    先端部
１４    湾曲部
１５    可撓管部
１６    連結部
１７    ユニバーサルチューブ
１８    コネクタ部
１９    吸引兼鉗子挿通管路（内部管路）
１９ａ  出口側開口
２０    鉗子チャンネル（内部管路）
２１    吸引専用管路（内部管路）
２２    鉗子口
２３    キャップ
２３ａ  スリット
２４    吸引口金
２５    吸引用シリンダ（シリンダ）（開口凹部）
２６    吸引ボタン（操作ボタン）
２７    送気管路（内部管路）
２７ａ  出口側開口
２７ｂ  入口側開口
２８    送水管路（内部管路）
２８ａ  出口側開口
２８ｂ  入口側開口
２９    送気送水口金
３０    送気送水用シリンダ（シリンダ）（開口凹部）
３１    送気送水ボタン（操作ボタン）
４０  ４０’５０  ６０  ７０  洗浄用アダプタ
４１  ６１  ７１  蓋部
４２  ６２  ７２  遊嵌部
４２ａ  ６２ａ  ７２ａ  流路形成面
４３  ６３  ７３  抜止部
４４  ４５  注入孔
４６    接続用筒部
Ｇ      隙間
Ｒ      流路
Ｒ１    入口開口
【図１】
2005237543.tif 000003
【図２】
2005237543.tif 000004
【図３】
2005237543.tif 000005
【図４】
2005237543.tif 000006
【図５】
2005237543.tif 000007
【図６】
2005237543.tif 000008
【図７】
2005237543.tif 000009
【図８】
2005237543.tif 000010
【図９】
2005237543.tif 000011
【図１０】
2005237543.tif 000012